(57)【要約】【課題】基礎と建物の土台との間が気密状態に維持されるようにしながら、外装材を簡易かつ精度良く取り付けるための外装材の仮支持部材等の補助部材を適用することができるようにした基礎用パッキン部材を提供すること。【解決手段】荷重支持片３２を構成する長手方向に延びる内側縦片３２ａと、この内側縦片３２ａの上端及び下端から反空間側に延設した上側水平片３２ｂ及び下側水平片３２ｃとによって、基礎１と建物の土台２との間が気密状態に維持されるようにするとともに、荷重支持片３２を構成する長手方向に延びる外側縦片３２ｄに、補助部材としての外装材の仮支持部材６を装着する穴部３１を備える。【選択図】図２
2018059276.tif 000002
【特許請求の範囲】
【請求項１】
空間を挟んで長手方向に並設するようにした荷重支持片と、該荷重支持片を接続する接続片とからなる、基礎と建物の土台との間に介在して用いられる基礎用パッキン部材において、荷重支持片を構成する長手方向に延びる内側縦片によって、基礎と建物の土台との間が気密状態に維持されるようにするとともに、荷重支持片を構成する長手方向に延びる外側縦片に、補助部材を装着する穴部を備えてなることを特徴とする基礎用パッキン部材。
【請求項２】
前記補助部材が、穴部に挿入されて仮固定される挿入片と、該挿入片から延設して一体に設けられ、取付前の外装材を該外装材の下端面が載置されることによって仮支持する支持部とを備えてなることを特徴とする請求項１に記載の基礎用パッキン部材。
【請求項３】
前記荷重支持片が、内部に縦リブを形成した中空部材からなるとともに、荷重支持片の間に形成された空間に、該空間を埋める補助荷重支持片を装着してなることを特徴とする請求項１又は２に記載の基礎用パッキン部材。
【発明の詳細な説明】
【技術分野】
【０００１】
本発明は、基礎と建物の土台との間に介在して用いられる基礎用パッキン部材に関するものである。
【背景技術】
【０００２】
従来、床下の換気を行うことができるようにするために、建物を建造する際に布基礎と建物の土台の間に、幅方向に通気孔を形成することで通気性を備えるようにした床下換気部材を介在するようにしていた（例えば、特許文献１〜２参照。）。
【０００３】
一方、玄関や勝手口等の土間まわり等において、基礎と建物の土台との間に介在して用いられる部材（本明細書において、「基礎用パッキン部材」という。）においては、基礎と建物の土台との間が気密状態に維持されるようにする要請があり、このような用途では、上記床下換気部材のように幅方向に通気孔を形成しない、中実の部材が用いられてきた（例えば、特許文献３参照。）。
【先行技術文献】
【特許文献】
【０００４】
【特許文献１】実用新案登録第３０７９７７７号公報
【特許文献２】特許第３９８３７６８号公報
【特許文献３】特開２００４−１９０２４０号公報
【発明の概要】
【発明が解決しようとする課題】
【０００５】
ところで、木造住宅を建築する際には、図５に示すように、外装材５を土台２や柱４に取り付けるに当たって、取付が完了するまで外装材５を建築作業者が所定の取付位置に保持する必要があり、手数を要するとともに、取付精度の点でも問題があった。
【０００６】
特に、基礎と建物の土台との間が気密状態に維持されるようにするために、中実の部材が用いられてきた基礎用パッキン部材においては、外装材を簡易かつ精度良く取り付けるための手段を採用することが困難であった。
【０００７】
本発明は、上記外装材を土台や柱に取り付ける際の問題点に鑑み、基礎と建物の土台との間が気密状態に維持されるようにしながら、外装材を簡易かつ精度良く取り付けるための外装材の仮支持部材等の補助部材を適用することができるようにした基礎用パッキン部材を提供することを第１の目的とする。
【０００８】
また、本発明は、軽量化を図りながら、荷重の支持強度を高めることができるようにした基礎用パッキン部材を提供することを第２の目的とする。
【課題を解決するための手段】
【０００９】
上記第１の目的を達成するため、本発明の基礎用パッキン部材は、空間を挟んで長手方向に並設するようにした荷重支持片と、該荷重支持片を接続する接続片とからなる、基礎と建物の土台との間に介在して用いられる基礎用パッキン部材において、荷重支持片を構成する長手方向に延びる内側縦片によって、基礎と建物の土台との間が気密状態に維持されるようにするとともに、荷重支持片を構成する長手方向に延びる外側縦片に、補助部材を装着する穴部を備えてなることを特徴とする。
【００１０】
この場合において、前記補助部材が、穴部に挿入されて仮固定される挿入片と、該挿入片から延設して一体に設けられ、取付前の外装材を該外装材の下端面が載置されることによって仮支持する支持部とを備えてなるようにすることができる。
【００１１】
また、上記第２の目的を達成するため、前記荷重支持片が、内部に縦リブを形成した中空部材からなるとともに、荷重支持片の間に形成された空間に、該空間を埋める補助荷重支持片を装着してなるようにすることができる。
【発明の効果】
【００１２】
本発明の基礎用パッキン部材によれば、空間を挟んで長手方向に並設するようにした荷重支持片と、該荷重支持片を接続する接続片とからなる、基礎と建物の土台との間に介在して用いられる基礎用パッキン部材において、荷重支持片を構成する長手方向に延びる内側縦片によって、基礎と建物の土台との間が気密状態に維持されるようにするとともに、荷重支持片を構成する長手方向に延びる外側縦片に、補助部材を装着する穴部を備えてなるようにし、例えば、補助部材に、穴部に挿入されて仮固定される挿入片と、該挿入片から延設して一体に設けられ、取付前の外装材を該外装材の下端面が載置されることによって仮支持する支持部とを備えた外装材の仮支持部材を適用することによって、基礎と建物の土台との間が気密状態に維持されるようにしながら、外装材を簡易かつ精度良く取り付けるための手段を採用することができる。
【００１３】
また、基礎用パッキン部材の荷重支持片が、内部に縦リブを形成した中空部材からなるとともに、荷重支持片の間に形成された空間に、該空間を埋める補助荷重支持片を装着してなるようにすることにより、基礎用パッキン部材の軽量化を図りながら、補助荷重支持片によって、荷重の支持強度を高めることができる。
【図面の簡単な説明】
【００１４】
【図１】本発明の基礎用パッキン部材の使用方法を示す説明図である。
【図２】同要部の説明図で、（ａ）は、外装材の仮支持部材の装着方法を示す斜視図、（ｂ）は外装材の仮支持部材を示す斜視図、（ｃ）は同底面側から見た斜視図、（ｄ）は補助荷重支持片を示す斜視図である。
【図３】本発明の基礎用パッキン部材及びそれに適用する外装材の仮支持部材の一実施例を示す平面図である。
【図４】本発明の基礎用パッキン部材の一実施例を示し、（ａ）は平面図、（ｂ）は正面図、（ｃ）は中央縦断面図、（ｄ）は底面図、（ｅ）は左側面図、（ｆ）は右側面図である。
【図５】従来の基礎用パッキン部材を配設した木造住宅の構造を示す説明図である。
【発明を実施するための形態】
【００１５】
以下、本発明の基礎用パッキン部材の実施の形態を、図面に基づいて説明する。
【００１６】
図１〜図５に、本発明の基礎用パッキン部材の一実施例を示す。
この基礎用パッキン部材３は、空間を挟んで長手方向に並設するようにした荷重支持片３２と、この荷重支持片３２を接続する接続片３３とからなる、基礎１と建物の土台２との間に介在して用いられるもので、荷重支持片３２を構成する長手方向に延びる内側縦片３２ａ、さらに、本実施例においては、この内側縦片３２ａの上端及び下端から反空間側に延設した上側水平片３２ｂ及び下側水平片３２ｃとによって、基礎１と建物の土台２との間が気密状態に維持されるようにするとともに、荷重支持片３２を構成する長手方向に延びる外側縦片３２ｄに、補助部材としての外装材の仮支持部材６を装着する穴部３１を備えるようにする。
【００１７】
そして、基礎用パッキン部材３は、従来の基礎用パッキン部材と同様、炭酸カルシウム粉末等の無機物質とポリプロピレン等の合成樹脂とからなる硬質の複合材料を一体成型により形成するようにしている。
【００１８】
補助部材としての外装材の仮支持部材６は、穴部３１に挿入されて仮固定される挿入片６１と、この挿入片６１から延設して一体に設けられ、取付前の外装材５をこの外装材５の下端面が載置されることによって仮支持する支持部６２と、支持部６２の端部から横方向に延設して一体に設けた操作部６３とからなるようにしている。
これにより、外装材５を簡易かつ精度良く取り付けるための手段を採用することができる。
また、操作部６３を適宜の工具を用いて容易に操作することができ、仮支持部材６の基礎１と土台２の間に配設される基礎用パッキン部材３に形成された穴部３１からの離脱を簡易に行うことができる。
【００１９】
この場合において、基礎用パッキン部材３の長手方向に延びる外側縦片３２ｄに形成した仮支持部材６の挿入片６１が挿入される穴部３１は、基礎１と建物の土台２との間の気密状態が損なわれないように、内側縦片３２ａを貫通しないように形成するようにする。
【００２０】
ここで、仮支持部材６は、特に限定されるものではないが、挿入片６１を中央が長い３つ叉形状に形成し、仮支持部材６は、これに対応した３つの穴からなる穴部３１を形成するようにしている。
【００２１】
また、穴部３１を形成する仮支持部材６の位置は、仮支持部材６の空間を挟んで長手方向に並設するようにした荷重支持片３２を接続する接続片３３の位置に合わせることで、穴部３１を形成することによる基礎用パッキン部材３の強度の低下を低減するようにしている。
【００２２】
このようにすることで、基礎１と土台２の間が気密状態に維持されるようにする基礎用パッキン部材３の場合でも、通気孔が形成された床下換気部材と同様に、仮支持部材６を装着することができる。
【００２３】
なお、穴部３１に装着される補助部材は、外装材の仮支持部材６に限定されず、穴部３１は、例えば、基礎用パッキン部材３の幅方向に取り付ける任意の補助部材を装着するために利用することができる。
【００２４】
基礎用パッキン部材３の上側水平片３２ｂ及び下側水平片３２ｃの表面には、基礎１と建物の土台２との間の気密性を高めるための気密テープ７を設けるための浅い溝３５を形成するようにする。
気密テープ７には、ＥＰＤＭ（エチレンプロピレンゴム（Ethylene Propylene Rubber））製の発泡ゴムからなるテープを好適に用いることができる。
なお、この気密テープ７は、基礎用パッキン部材３の長手方向の端面にも設けることができ、これにより、基礎用パッキン部材３同士の突き合わせ面の気密性を高めることができる。
【００２５】
基礎用パッキン部材３の荷重支持片３２は、内部に縦リブ３４を形成した中空部材からなるとともに、荷重支持片３２の間に形成された空間に、この空間を埋める補助荷重支持片８を任意の位置に装着することができる。
ここで、補助荷重支持片８は、その側面に形成した縦方向のスリット８１を、内側縦片３２ａの表面に形成した縦方向の突条３６と嵌合させて装着することにより、定位置に安定した状態で設置することができる。
これにより、基礎用パッキン部材３の軽量化を図りながら、補助荷重支持片８によって、例えば、柱４の位置等の大きな荷重の支持強度を要する箇所の荷重の支持強度を高めることができる。
【００２６】
接続片３３には、必要に応じて、釘孔３７を形成するようにしている。
【００２７】
以上、本発明の基礎用パッキンについて、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の基礎用パッキンは、基礎と建物の土台との間が気密状態に維持されるようにしながら、外装材を簡易かつ精度良く取り付けるための外装材の仮支持部材等の補助部材を適用することができるものであることから、基礎と建物の土台との間が気密状態に維持されるようにするための基礎用パッキン部材の用途に好適に用いることができる。
【符号の説明】
【００２９】
１  基礎
２  土台
３  基礎用パッキン部材
３１  穴部
３２  荷重支持片
３３  接続片
３４  縦リブ
３５  溝
３６  突条
３７  釘孔
４  柱
５  外装材
６  仮支持部材（補助部材）
７  気密テープ
８  補助荷重支持片
８１  スリット
【図１】
2018059276.tif 000003
【図２】
2018059276.tif 000004
【図３】
2018059276.tif 000005
【図４】
2018059276.tif 000006
【図５】
2018059276.tif 000007